(57)【特許請求の範囲】
【請求項１】
折り目線（ｈ）を介して連接する右側面板（２０）、前面板（２２）、左側面板（２４）および後面板（２６）と前面板（２２）の上下端に連接する上部蓋板（２２２）および下部蓋板（２２４）の６面からなる実質的に四角筒体の底部を閉じてなる振り出し紙箱において、前記前面板（２２）には、左右の振り出し口側辺（３０ａ）が垂直方向に伸びる振り出し口（３０）を穿設し、後面板（２６）には、上端の折り目線（ｇ）、および折り目線（ｆ）を介して連接する外上面蓋板（２６２）、外前面蓋板（２６４）を設け、該外前面蓋板（２６４）の上端に振り出し口閉止片（３２）を設け、その外前面蓋板（２６４）と振り出し口閉止片（３２）の間の境界線の左右両端からそれぞれ内方に向かう左右に挟持切り込み線（３２ａ）を設け、該挟持切り込み線（３２ａ）により該振り出し口閉止片（３２）の左右に閉止片端部（３２ｂ）を設け、外上面蓋板（２６２）が上部蓋板（２２２）の、外前面蓋板（２６４）が振り出し口（３０）の上に被さるように後面板（２６）の上端の折り目線（ｇ）と外上面蓋板（２６２）上端の折り目線（ｆ）をもって折り曲げられた形態で、振り出し口閉止片（３２）の両端の挟持切り込み線（３２ａ）が、前記前面板（２２）の一対の振り出し口側辺（３０ａ）を閉止片端部（３２ｂ）を内側に、外前面蓋板（２６４）を外側に摺動自在に挟持し、該外前面蓋板（２６４）、および振り出し口閉止片（３２）で前記振り出し口（３０）を開閉して成ることを特徴とする振り出し紙箱。
【発明の詳細な説明】
【０００１】
【発明の属する技術分野】
本発明は、粒状の菓子類やビタミン剤や口中清涼剤などを収容し、その内容物を簡単に片手で一個または二三個振り出しにて取り出す紙容器に関する。
【０００２】
【従来の技術】
従来より、粒状の菓子類やビタミン剤や口中清涼剤などを収容し、それを取り出すにあたり、片手で振り出し口を開閉できるようにした紙製ケースとして特開平６−３４５０８３号に提案されているものが知られている。この提案を簡単に説明すると、図７に示すような紙製振出口付カートンにおいて、内容物を取り出すに際し、天面パネル（６）の突出部分（６ａ）に指先を押し当てて天面パネル（６）を後上方に回動させる。これにより内面パネル（７）およびスライドパネル（８）が牽引され、図８に示すように、内面パネル（７）の振出孔（１５）が露出することになり、この振出孔（１５）から内容物が振り出すことができるようになっているものである。
【０００３】
しかしながら、この紙製振出口付カートンにおいては、内容物を取り出す際に、フラップ片（１２）、（１３）の上の両サイドからも内容物が不用意に出てくるという問題と、内面パネルに振出孔（１５）を設けているため、振出孔（１５）の大きさに限度があり、大きな内容物の場合は振り出し難いという問題があった。
【０００４】
また、この種の紙製ケースとして、実公昭５６−４７０６１号に提案されているものが知られている。この提案を簡単に説明すると、図９に示すような振出口付紙函において、内容物を取り出すにあたっては、矢印Ｐに示すように摺動部（１８）の振出孔（１５）を覆っている部分を外方より押圧すると押圧された部分の近傍の切込線（ｄ）のつなぎ部が切断され、続いて図１０の矢印Ｒに示すように摺動部（１８）の覆板（１６）内の部分を前板（１１）に押圧しつつ上方へ押し上げると、切込線（ｄ）のつなぎ部は全て切断されて、摺動部（１８）本体は横折線（ｃ）に沿って函体頂部で逆Ｖ形に折れ曲がりつつ摺動し、振出孔（１５）が露出して内容物を振り出すことができるものである。
【０００５】
しかしながら、上記の振出口付紙函においては、摺動部（１８）を摺動させるとき摺動部（１８）本体が横ずれを起こし、覆板（１６）から外れてしまい易いという問題と、図１０の矢印Ｓ方向に摺動部（１８）を摺動して、振出孔（１５）を覆い閉める場合、ロック機構がないので携帯時の振動等によって、不用意に内容物がこぼれ落ちるという問題があった。
【０００６】
さらにまた、同様のこの種の振り出し紙箱として、特開平７−２２３６３号に提案されているものが知られている。この提案を簡単に説明すると、図１１に示すような振出口付組立箱において、内容物を取り出しにあたっては、タブ（８ａ）に指を添えて、上方に力を加えると、振出口閉止片（１３３）が二本の対向する切り罫（１１１）、（１１１）の両側の案内面（１１７）、（１１７）に案内されて上方に摺動して、図１２に示すように振出孔（１５）が露出して、内容物を取り出すことができるものである。
【０００７】
しかしながら、上記振出口付組立箱においては、振出口閉止片（１３３）を摺動させるときに、振出孔（１５）を有し、両側の切り罫（１１１）、（１１１）からなる振り出し片（１１６）が箱内部の奥に落ち込んでしまうという問題と、図１２に示す矢印Ｍ方向に摺動しすぎなどによって、振出口閉止片（１３３）が切り罫（１１１）、（１１１）からはずれてしまうという問題があった。
【０００８】
【発明が解決しようとする課題】
本発明は、かかる従来技術の問題点を解決するものであり、粒状の菓子類などを収容する振り出し紙箱において、その第一の課題は、振り出し口の開閉が円滑で、振り出し口を覆う蓋板が摺動によってはずれたり横ずれすることがなく、また、内容物が振り出し口からのみ振り出され、粒の大きめな内容物も振り出し可能である振り出し紙箱の提供であり、第二の課題は、携帯中の振動などによって不用意に振り出し口が開口せず、内容物がこぼれ落ち難い振り出し紙箱の提供である。
【０００９】
【課題を解決するための手段】
本発明に於いて上記課題を達成するために、まず、請求項１の発明では、折り目線（ｈ）を介して連接する右側面板（２０）、前面板（２２）、左側面板（２４）および後面板（２６）と前面板（２２）の上下端に連接する上部蓋板（２２２）および下部蓋板（２２４）の６面からなる実質的に四角筒体の底部を閉じてなる振り出し紙箱において、前記前面板（２２）には、左右の振り出し口側辺（３０ａ）が垂直方向に伸びる振り出し口（３０）を穿設し、後面板（２６）には、上端の折り目線（ｇ）、および折り目線（ｆ）を介して連接する外上面蓋板（２６２）、外前面蓋板（２６４）を設け、該外前面蓋板（２６４）の上端に振り出し口閉止片（３２）を設け、その外前面蓋板（２６４）と振り出し口閉止片（３２）の間の境界線の左右両端からそれぞれ内方に向かう左右に挟持切り込み線（３２ａ）を設け、該挟持切り込み線（３２ａ）により該振り出し口閉止片（３２）の左右に閉止片端部（３２ｂ）を設け、外上面蓋板（２６２）が上部蓋板（２２２）の、外前面蓋板（２６４）が振り出し口（３０）の上に被さるように後面板（２６）の上端の折り目線（ｇ）と外上面蓋板（２６２）上端の折り目線（ｆ）をもって折り曲げられた形態で、振り出し口閉止片（３２）の両端の挟持切り込み線（３２ａ）が、前記前面板（２２）の一対の振り出し口側辺（３０ａ）を閉止片端部（３２ｂ）を内側に、外前面蓋板（２６４）を外側に摺動自在に挟持し、該外前面蓋板（２６４）、および振り出し口閉止片（３２）で前記振り出し口（３０）を開閉して成ることを特徴とする振り出し紙箱としてものである。
【００１０】
また、請求項２の発明では、前記四角筒体である振り出し紙箱において、前面板（２２）上端の折り目線（ｉ）より、振り出し口（３０）に向かって上部平坦山形の上部蓋板突起片（２２２ａ）を設け、一方後面板（２６）に連接する外上面蓋板（２６２）の上端の折り目線（ｆ）より、外前面蓋板（２６４）に向かって上部平坦山形の蓋板係止切り込み線（２６４ａ）を設けてなる請求項１記載の振り出し紙箱としたものである。
【００１１】
【発明の実施の形態】
以下本発明の実施の形態を説明する。
本発明の振り出し紙箱は、図１に示すような折り目線（ｈ）を介して連接する右側面板（２０）、前面板（２２）、左側面板（２４）および後面板（２６）と前面板（２２）の上下端に連接する上部蓋板（２２２）および下部蓋板（２２４）の６面からなる実質的に四角筒体の底部を閉じてなる振り出し紙箱において、前記前面板（２２）には、その上端の折り目線（ｉ）の中央部を振り出し口上辺（３０ｂ）とし、左右の垂直方向に伸びる振り出し口側辺（３０ａ）と半円弧状の振り出し口下辺（３０ｃ）をもつ略長方形の振り出し口（３０）を穿設し、後面板（２６）には、その上端の折り目線（ｇ）を介して、前記上部蓋板（２２２）とほぼ同じ長さ（奥行き）の外上面蓋板（２６２）を連接する。そして、該外上面蓋板（２６２）の上部に折り目線（ｆ）を介して外前面蓋板（２６４）を設け、その外前面蓋板（２６４）の上端に、左右側に一対の閉止片端部（３２ｂ）をもつ振り出し口閉止片（３２）を設け、その外前面蓋板（２６４）と振り出し口閉止片（３２）の間の左右に挟持切り込み線（３２ａ）を設ける。前記外前面蓋板（２６４）の縦の長さは、前記前面板（２２）の上端から、前記振り出し口（３０）の下辺（３０ｃ）までの長さと等しいか短くする。また、前記外前面蓋板（２６４）と前記振り出し口閉止片（３２）の縦長の合計は前面板（２２）の上端から安房の下辺（３０ｃ）までの長さより長さより長くする。また、外前面蓋板（２６４）、振り出し口閉止片（３２）の幅は、振り出し口（３０）の幅より広くし、かつ挟持切り込み線（３２ａ）の内端間の長さは、振り出し口（３０）の幅とほぼ等しいか短くする。
【００１２】
上記ブランク（Ａ）を組み立てるには、図２に示すように、前記右側面板（２０）、前面板（２２）、左側面板（２４）、後面板（２６）、上部蓋板（２２２）、下部蓋板（２２４）を６面として製函し、外上面蓋板（２６２）が上部蓋板（２２２）の、外前面蓋板（２６４）が振り出し口（３０）の上に被さるように後面板（２６）の上端の折り目線（ｇ）と外上面蓋板（２６２）上端の折り目線（ｆ）をもって折り曲げられた形態で、振り出し口閉止片（３２）の両端の挟持切り込み線（３２ａ）が、前記前面板（２２）の一対の振り出し口側辺（３０ａ）を閉止片端部（３２ｂ）が内側に、外前面蓋板（２６４）が外側になるように摺動自在に挟持し、前記外前面蓋板（２６４）および振り出し口閉止片（３２）で前記振り出し口（３０）を開閉する形態としたものである。
【００１３】
上記振り出し紙箱より内容物を振り出す、即ち振り出し口（３０）を露出するに際しては、図２に示す前面板（２２）に穿設された振り出し口の下辺（３０ｃ）近辺の外前面蓋板（２６４）を指で矢印Ｐ方向に押圧することによって、外前面蓋板（２６４）が一対の振り出し口側辺（３０ａ）に沿ってスライドし、図３に示すように前面板（２２）に穿設された振り出し口（３０）が露出する。このことによってこの振り出し口（３０）から内容物を振り出すことができる。このとき、振り出し口閉止片（３２）の両端の挟持切り込み線（３２ａ）が、前記前面板（２２）の一対の振り出し口側辺（３０ａ）を閉止片端部（３２ｂ）が内側に、外前面蓋板（２６４）が外側になるようにしっかり挟持されているので、外前面蓋板（２６４）が前面板（２２）から外れることはない。
またスライドし過ぎても、上部蓋板（２２２）の折り目線（ｉ）部で振り出し口閉止片（３２）が係止されるので、外前面蓋板（２６４）が前方に飛び出し外れることがない。振り出し口（３０）は、前面板（２２）内であれば、本実施例のような上端でなくともどのような位置（上縁、中央、下縁）にも設けることができる。
【００１４】
振り出し口（３０）を閉口するにさいしては、図３に示す状態から矢印Ｒ方向に指で押圧することによって、図２に示すように外前面蓋板（２６４）が振り出し口（３０）を覆う状態となる。このとき、略長方形の振り出し口（３０）の底辺が半円弧状下辺（３０ｃ）としてあるので、外前面蓋板（２６４）がより強く挟持され止められるものである。
【００１５】
ここで本発明の振り出し紙箱の構成において、上部蓋板（２２２）を設けてあるので振り出し口（３０）以外から内容物が振り出されることはない。
また、図３に示すように振り出し口（３０）自体の左右の振り出し口側辺（３０ａ）を用いてスライドさせるために、紙箱本体の前面板（２２）のかなりの幅にわたり大きな振り出し口（３０）とすることが可能であり、粒の大きめな内容物の振り出しも可能となる。
【００１６】
次に、請求項２の発明は、上記請求項１の発明の四角筒体である振り出し紙箱に付加したもので、図４に示す前面板（２２）上端の折り目線（ｉ）より、振り出し口（３０）に向かって上部平坦山形の上部蓋板突起片（２２２ａ）を設け、一方後面板（２６）に連接する外上面蓋板（２６２）の上端の折り目線（ｆ）より、外前面蓋板（２６４）に向かって上部平坦山形の蓋板係止切り込み線（２６４ａ）を設けてなるブランク（Ｂ）を製函してなる振り出し紙箱としたものである。
【００１７】
この振り出し紙箱において、図５に示すように内容物を振り出したのち、矢印Ｑ方向に外前面蓋板（２６４）をスライドさせ、図６に示すように振り出し口（３０）を閉口状態とするにあたって、蓋板係止切り込み線（２６４ａ）部に上部蓋板突起片（２２２ａ）がカチッという音と共に嵌合し、ロック状態となるものである。
【００１８】
このようなロック機構により、携帯中の振動などによって不用意に内容物がこぼれ落ちることがなくなるものである。また、ロック時にカチッと音がするので、ロックの確認もできるものである。
【００１９】
また、図６に示すように前面板（２２）と左側面板（２４）の間などに長方形の内容物確認窓（４０）を穿設し、その部分に薄いポリエチレン等のフィルムを内部より貼り合わせることにより、容易に内容物の確認をすることもできるものである。
【００２０】
【発明の効果】
本発明は以上の構成であるから、下記に示す如き効果がある。
即ち、振り出し口の開閉のための外前面蓋板のスライドに際し、振り出し口閉止片の両端の挟持切り込み線が、前記前面板の一対の振り出し口側辺を閉止片端部が内側に、外前面蓋板が外側になるようにしっかり挟持されているので、外前面蓋板が前面板から外れることがなく、またスライドし過ぎても、上部蓋板で振り出し口閉止片が係止されるので、外前面蓋板が前方に飛び出し外れることがない。
また、上部蓋板を設けてあるので振り出し口以外から内容物が振り出されることはない。
また、振り出し口自体のの左右の振り出し口側辺を用いてスライドさせるために、紙箱本体の前面板のかなりの幅にわたって振り出し口を穿設できるので、大きな振り出し口とすることができ、粒の大きめな内容物も振り出すことが可能である。
【００２１】
また、第二の発明である前面板（２２）上端に上部平坦山形の上部蓋板突起片と後面板に連接する外上面蓋板の上端に上部平坦山形の蓋板係止切り込み線によるロック機構によって、完全に振り出し口を閉口した場合、ロックされ、携帯中不用意に内容物がこぼれ落ちることがない効果がある。さらにロック時にカチッと音がするのでロックの確認もできる効果がある。
【図面の簡単な説明】
【図１】本発明の一実施の形態を示す振り出し紙箱の展開図である。
【図２】本発明の一実施の形態を示す振り出し紙箱の閉口時の斜視図である。
【図３】本発明の一実施の形態を示す振り出し紙箱の開口時の斜視図である。
【図４】第二の発明の一実施の形態を示す振り出し紙箱の展開図である。
【図５】第二の発明の一実施の形態を示す振り出し紙箱の開口時の斜視図である。
【図６】第二の発明の一実施の形態を示す振り出し紙箱の閉口時の斜視図である。
【図７】従来の一実施の形態を示す振出口付カートンの閉口時の斜視図である。
【図８】従来の一実施の形態を示す振出口付カートンの開口時の斜視図である。
【図９】従来の他の一実施の形態を示す振出口付紙函の閉口時の斜視図である。
【図１０】従来の他の一実施の形態を示す振出口付紙函の開口時の斜視図である。
【図１１】従来の他の一実施の形態を示す振出口付組立紙函の閉口時の斜視図である。
【図１２】従来の他の一実施の形態を示す振出口付組立紙函の開口時の斜視図である。
【符号の説明】
１‥‥振り出し紙箱
６‥‥天面パネル
６ａ‥‥突出部分
７‥‥内面パネル
８‥‥スライドパネル
８ａ‥‥タブ
１１‥‥前板
１２、１３‥‥フラップ片
１５‥‥振出孔
１６‥‥覆板
１８‥‥摺動部
１１１‥‥切り罫
１１６‥‥振り出し片
１１７‥‥案内面
２０‥‥右側面板
２２‥‥前面板
２４‥‥左側面板
２６‥‥後面板
２８‥‥糊代片
２０２‥‥上部右フラップ片
２０４‥‥下部右フラップ片
２２２‥‥上部蓋板
２２２ａ‥‥上部蓋板突起片
２２３‥‥上部差し込み片
２２４‥‥下部蓋板
２２５‥‥下部差し込み片
２４２‥‥上部左フラップ片
２４４‥‥下部左フラップ片
２６２‥‥外上面蓋板
２６４‥‥外全面蓋板
２６４ａ‥‥蓋板係止切り込み線
３０‥‥振り出し口
３０ａ‥‥振り出し口側辺
３０ｂ‥‥振り出し口上辺
３０ｃ‥‥振り出し口下辺
３２‥‥振り出し口閉止片
３２ａ‥‥挟持切り込み線
３２ｂ‥‥閉止片端部
４０‥‥内容物確認窓
Ａ、Ｂ‥‥ブランク
ｃ‥‥横折線
ｄ‥‥切込線
ｆ、ｇ、ｈ、ｉ‥‥折り目線
【図１】
0003893656.tif 000002
【図２】
0003893656.tif 000003
【図３】
0003893656.tif 000004
【図４】
0003893656.tif 000005
【図５】
0003893656.tif 000006
【図６】
0003893656.tif 000007
【図７】
0003893656.tif 000008
【図８】
0003893656.tif 000009
【図９】
0003893656.tif 000010
【図１０】
0003893656.tif 000011
【図１１】
0003893656.tif 000012
【図１２】
0003893656.tif 000013